(57)【要約】【課題】携帯端末機を無接点で充電する、携帯性に優れた無接点充電装置を提供する。【解決手段】この無接点充電装置１０は、ＵＳＢコネクタ１１と、ケーブル１２と、ケーブルヘッド１３を備えている。このケーブルヘッド１３は、磁性体もしくは磁石を具備する携帯端末機３０の側面３０ｂに（もしくは側面３０ｂから裏面にかけて）着脱自在に吸着する磁石（もしくは磁性体）と、吸着した携帯端末機３０に無接点で電力を供給する電磁コイルとを具備する。【選択図】図２
2015146705.tif 000002
【特許請求の範囲】
【請求項１】
電源用コネクタと、
前記電源用コネクタに一端が接続され該電源用コネクタ経由の電力を受け取って伝送するケーブルと、
磁性体もしくは磁石を具備する携帯端末機に着脱自在に吸着する磁石もしくは磁性体と、吸着した携帯端末機に無接点で電力を供給する電磁コイルとを具備し、前記ケーブルの他端に接続され該ケーブルから電力を受けて該電磁コイルを励起する充電ヘッドとを備えたことを特徴とする無接点充電装置。
【請求項２】
前記充電ヘッドが、前記携帯端末機の側面もしくは側面を含む領域に接触するものであることを特徴とする請求項１記載の無接点充電装置。
【請求項３】
前記充電ヘッドが、前記携帯端末機の側面に吸着し、吸着した側面から電力を供給するものであることを特徴とする請求項１又は２記載の無接点充電装置。
【請求項４】
前記携帯端末機が表面に表示画面を備えたものであって、前記充電ヘッドが該携帯端末機の該表面に対する裏面に接触する部分を有し該裏面から電力を供給するものであることを特徴とする請求項１又は２記載の無接点充電装置。
【請求項５】
前記電源用コネクタおよび前記ケーブルが、電力供給に加えさらに信号伝送を担うものであって、前記充電ヘッドがさらに、前記携帯端末機との間の無線通信を担う通信モジュールを備えたものであることを特徴とする請求項１から４のうちいずれか１項記載の無接点充電装置。
【発明の詳細な説明】
【技術分野】
【０００１】
本発明は、携帯端末機を無接点で充電する無接点充電装置に関する。
【背景技術】
【０００２】
従来より、携帯電話機や携帯型のタブレット端末などの携帯端末機を無接点で充電する無接点充電装置が知られている（例えば、特許文献１参照）。この従来型の無接点充電装置は、携帯端末機を上に載せる台あるいはテーブルの形状を有する。そして、その台あるいはテーブルには、無接点充電用の電磁コイル等が内蔵されている。携帯端末機をその台あるいはテーブルの上に載せて電磁コイルに通電すると、電磁誘導によりその携帯端末機が充電される。この無接点充電装置は、その上に携帯端末機を置くだけで簡便に充電することができ、便利である。また、この無接点充電装置は、携帯端末機の防水や防塵にも寄与することが期待される。さらに、特許文献１には、上に載せた携帯端末機を充電するとともに、その携帯端末機との間で無線通信を行なうことが記載されている。
【先行技術文献】
【特許文献】
【０００３】
【特許文献１】特開２００９−５０１０００号公報
【発明の概要】
【発明が解決しようとする課題】
【０００４】
上記の、台あるいはテーブルの形状を有する無接点充電装置は、常に同じ場所に置いておく据え付けタイプであり、携帯端末機とともに持ち運ぶには不便である。例えば旅行や出張などでその携帯端末機を持ち出すことを考える。その旅行先あるいは出張先等には無接点で充電する設備があることは通常は期待できない。
【０００５】
このため無接点充電ができる携帯端末機であっても、その無接点充電用の部品に加え、充電用ケーブルと接続するコネクタも搭載しておく必要がある。旅行先あるいは出張先で携帯端末機を充電することを考えるときは、携帯端末機とともに充電用ケーブルを一緒に持っていく。そして、その充電用ケーブルを携帯端末機のコネクタに接続して充電する。この充電用コネクタを備える必要があるという点が、その携帯端末機の完全な防水や防塵を難しくしている一因である。また、そのコネクタの搭載を必要する分、コスト面、寸法面でも不利である。
【０００６】
本発明は、上記事情に鑑み、携帯性に優れた無接点充電装置を提供することを目的とする。
【課題を解決するための手段】
【０００７】
上記目的を達成する本発明の無接点充電装置は、
電源用コネクタと、
電源用コネクタに一端が接続され電源用コネクタ経由の電力を受け取って伝送するケーブルと、
磁性体もしくは磁石を具備する携帯端末機に着脱自在に吸着する磁石もしくは磁性体と、吸着した携帯端末機に無接点で電力を供給する電磁コイルとを具備し、上記ケーブルの他端に接続されそのケーブルから電力を受けて電磁コイルを励起する充電ヘッドとを備えたことを特徴とする。
【０００８】
本発明の無接点充電装置は、磁石もしくは磁性体で携帯端末機の磁性体もしくは磁石に吸着する構造を備えている。このため、吸着により携帯端末機に対し容易に位置決めされる。したがって、台もしくはテーブルのような大型ではなく、携帯に適する程度の小型の装置であっても、携帯端末機の一部に吸着させて無接点充電を行なうことが可能である。
【０００９】
ここで、本発明の無接点充電装置において、上記充電ヘッドが、前記携帯端末機の側面もしくは側面を含む領域に接触するものであることが好ましい。
【００１０】
本発明の無接点充電装置は、小型化に伴い、携帯端末機の側面を利用するものであることが好ましい。
【００１１】
特に、本発明の無接点充電装置において、上記充電ヘッドが、携帯端末機の側面に吸着し、吸着した側面から電力を供給するものであることが好ましい。
【００１２】
携帯端末機の側面に吸着させ、携帯端末機をその吸着した側面から充電することで、極めて小型の無接点充電装置が実現する。
【００１３】
あるいは、携帯端末機が表面に表示画面を備えたものであって、充電ヘッドがその携帯端末機の表面に対する裏面に接触する部分を有し、その裏面から電力を供給するものであることも好ましい態様である。
【００１４】
裏面に接する部分に電磁コイルを設けることにより、単位時間あたりの充電能力の高い無接点充電装置を構成することができる。
【００１５】
ここで、本発明の無接点充電装置において、電源用コネクタおよびケーブルが、電力供給に加えさらに信号伝送を担うものであって、充電ヘッドがさらに、携帯端末機との間の無線通信を担う通信モジュールを備えたものであることも好ましい態様である。
【００１６】
この構成によれば、無接点で充電と通信との双方が行なわれる。
【発明の効果】
【００１７】
以上の本発明によれば、携帯性に優れた無接点充電装置を構成することができる。
【図面の簡単な説明】
【００１８】
【図１】本発明の第１実施形態の無接点充電装置の外観斜視図である。
【図２】携帯端末機にケーブルヘッドを吸着させた状態の無接点充電装置を示す斜視図である。
【図３】ケーブルヘッドの、携帯端末機への吸着面を示した斜視図である。
【図４】ケーブルヘッドの内部構造を示した斜視図である。
【図５】本発明の第２実施形態の無接点充電装置の外観斜視図である。
【図６】第２実施形態の無接点充電装置のケーブルヘッドの拡大斜視図である。
【図７】携帯端末機にケーブルヘッドを吸着させた状態の、第２実施形態の無接点充電装置を示した斜視図である。
【図８】第２実施形態の無接点充電装置のケーブルヘッドを２つに分解して示した分解斜視図である。
【図９】第２実施形態の無接点充電装置のケーブルヘッドの内部構造を示した斜視図である。
【図１０】第２実施形態の無接点充電装置のケーブルヘッドを構成する外装カバーを、板部の表面があらわれる向きに示した斜視図である。
【図１１】第２実施形態の無接点充電装置のケーブルヘッドを構成する外装カバーを、板部の裏面があらわれる向きに示した斜視図である。
【図１２】第２実施形態の無接点充電装置のケーブルヘッドを構成する内装体に内蔵されている回路基板の斜視図である。
【発明を実施するための形態】
【００１９】
以下、本発明の実施の形態を説明する。
【００２０】
図１は、本発明の第１実施形態の無接点充電装置の外観斜視図である。
【００２１】
また、図２は、携帯端末機にケーブルヘッドを吸着させた状態の無接点充電装置を示す斜視図である。
【００２２】
ここに示す第１実施形態の無接点充電装置１０は、ＵＳＢコネクタ１１と、ケーブル１２と、ケーブルヘッド（充電ヘッド）１３とを備えている。尚、ここではケーブル１２は、図示の便宜のため短く描かれているが、このケーブル１２は適切な長さのものが用いられる。
【００２３】
また、図２に示す携帯端末機３０は、その表面３０ａに大きく広がる表示画面３０１を備えている。
【００２４】
ＵＳＢコネクタは、ＵＳＢ（Ｕｎｉｖｅｒｓａｌ  Ｓｅｒｉａｌ  Ｂｕｓ）規格に準拠したコネクタである。このＵＳＢコネクタ１１は、例えばラップトップ型パーソナルコンピュータ等、ＵＳＢ規格に準拠した相手コネクタを備えた様々な電子機器や電源アダプタから電力供給を受けることができる。このＵＳＢコネクタ１１は、本発明にいう電源用コネクタの一例に相当する。
【００２５】
ケーブル１２は、その一端がＵＳＢコネクタ１１に接続され、ＵＳＢコネクタ１１経由の電力を受け取って伝送する役割を担っている。
【００２６】
ケーブルヘッド１３は、図２に示すように携帯端末機３０の側面３０ｂに吸着する。そして、ケーブル１２の他端に接続されてそのケーブル１２から電力供給を受け、その電力で携帯端末機３０を充電する役割を担っている。このケーブルヘッド１３は本発明にいう充電ヘッドの一例に相当する。
【００２７】
図３は、ケーブルヘッドの、携帯端末機への吸着面を示した斜視図である。
【００２８】
このケーブルヘッド１３の吸着面１３ａは、携帯端末機３０の厚み、すなわち携帯端末機３０の側面３０ｂの幅とほぼ同一の幅を有する。このケーブルヘッド１３の吸着面１３ａには、その長手方向両端部に磁石１３１の端面があらわれている。このケーブルヘッド１３は、磁石１３１と、携帯端末機３０に埋め込まれた磁性体あるいは磁石との間の吸着により、十分な位置精度をもって携帯端末機３０の側面３０ｂに吸着する。
【００２９】
尚、ここでは吸着面１３ａに磁石１３１の端面があらわれているが、磁石１３１は、吸着面１３ａにはあらわれないように覆うことによって吸着面１３ａの内側に配置してもよい。
【００３０】
図４は、ケーブルヘッドの内部構造を示した斜視図である。
【００３１】
ここでは、携帯端末機３０への吸着用の磁石１３１の周りに電磁コイル１３２が配置されている。すなわち、吸着用の磁石１３１がそのままコイルの磁芯として使用されている。また、ここには、回路基板１３３が備えられている。その回路基板１３３には、複数の電子部品１３４が搭載されている。これらの電子部品１３４は、ケーブル１２を経由して受け取った電力を充電に適した周波数の電力に変換して電磁コイル１３２を励振させる役割の回路である。携帯端末機３０の側面３０ｂ（図２参照）の内側には、ケーブルヘッド１３が吸着する磁石あるいは磁性体と電磁場の電力を受け取るコイル（不図示）が備えられている。このケーブルヘッド３０の電磁コイル１３２が励振されると電磁場が形成される。そして、その電磁場を介して携帯端末機３０側のコイルに電力が伝送され、その電力で携帯端末機３０が充電される。
【００３２】
尚、ここでは、携帯端末機３０への吸着用の磁石１３１がそのまま電磁コイル１３２の磁芯として使用されているが、吸着用の磁石と磁芯は別体のものであってもよい。それらを別体に構成すると磁芯としてより性能の優れた材質のものを選択することができ、充電の効率を向上させることができる。ただし、この場合、別体にした分、コストや寸法では不利となる。
【００３３】
また、ここでは、電力変換用の電子回路１３４がケーブルヘッド１３内に備えられている。ただし、充電のための電力変換用の電子回路１３４は、ＵＳＢコネクタ１１内に備えてもよく、ケーブル１２の途中に備えてもよい。そうすることによって、ケーブルヘッド１３を大型化させずに、携帯端末機３０との間の無線通信用の電子部品をケーブルヘッド１３に組み込むことができる。
【００３４】
また、ここでは、携帯端末機３０との吸着用の磁石１３１が使われている。ただし、携帯端末機３０に磁石を備え、このケーブルヘッド１３には、その携帯端末機３０の磁石に吸着する磁性体を備えてもよい。
【００３５】
図５は、本発明の第２実施形態の無接点充電装置の外観斜視図である。
【００３６】
また、図６は、図５に示す無接点充電装置のケーブルヘッドの拡大斜視図である。
【００３７】
さらに、図７は、図５に示す携帯端末機にケーブルヘッドを吸着させた状態の、第２実施形態の無接点充電装置を示した斜視図である。
【００３８】
ここに示す第２実施形態の無接点充電装置２０は、前述の第１実施形態の無接点充電装置１０（図１参照）と同様、ＵＳＢコネクタ２１とケーブル２２とケーブルヘッド（充電ヘッド）２３を備えている。ＵＳＢコネクタ２１およびケーブル２２は、第１実施形態の無接点充電装置１０（図１参照）のＵＳＢコネクタ１１およびケーブル１２とそれぞれ同様であり、説明は省略する。ただし、後述するように、この第２実施形態の無接点充電装置２０のケーブルヘッド２３には無線通信用の電子回路を備えている。このため、ＵＳＢコネクタ２１およびケーブル２２は、電力の伝送だけでなく、通信用の信号の伝送も担っている。
【００３９】
この第２実施形態の無接点充電装置２０のケーブルヘッド２３は、図６に示すように、基部２３Ａと、その基部２３Ａから広がる板部２３Ｂとを有する。基部２３Ａは、前述の第１実施形態の無接点充電装置１０におけるケーブルヘッド１３に近似した形状を有する。この基部２３Ａの吸着面２３ａには、２つの磁石２３１の端面が覗いている。これら磁石２３１は、上述の第１実施形態における磁石１３１とは異なり、磁芯としての役割はなく、携帯端末機４０への吸着のみを担っている。この基部２３Ａの吸着面２３ａは、図７に示すように、携帯端末機４０の側面４０ｂに吸着される。そのとき板部２３Ｂは、その携帯端末機４０の裏面４０ｃに宛てがわれることになる。この板部２３Ｂには電磁コイル２３２（図９参照）が収容されている。この板部２３Ｂの、図７に示されている裏面２３８にはその電磁コイル２３２を覆うカバー２３８ａが嵌められている。この携帯端末機４０は、図２に示す携帯端末機３０と同様、図２に示す携帯端末機３０の表面３０ａに相当する表面に表示画面３０１に相当する表示画面が備えられている。図７に示す携帯端末機４０の裏面４０ｃは、表示画面が備えられた表面に対する裏側の面である。この携帯端末機４０は、その側面４０ｂの内側に、ケーブルヘッド２３の磁石２３１が吸着する磁石あるいは磁性体を備えている。このため、このケーブルヘッド２３の基部２３Ａは、十分な位置精度を持って携帯端末機４０の側面４０ｂに吸着する。
【００４０】
図８は、第２実施形態の無接点充電装置のケーブルヘッドを２つに分解して示した分解斜視図である。
【００４１】
ここには、内装体２３＿１と外装カバー２３＿２が示されている。ただし、吸着面２３ａは内装体２３＿１に設けられている。この内装体２３＿１は、この吸着面２３ａと、ケーブル２２から最も離れた先端面２３ｂが、組立状態においても外部にあらわれる構造となっている。
【００４２】
また外装カバー２３＿２は、板部２３Ｂと筒部２３８とで構成されている。筒部２３８は、板部２３Ｂ側に吸着面２３ａを露出させる開口２３９を有する。この外装カバー２３＿２を、筒部２３８の内側に内装体２３＿１を収容するように矢印Ａ方向にスライドさせることにより、ケーブルヘッド２３が組み立てられる。
【００４３】
図９は、ケーブルヘッドの内部構造を示した斜視図である。
【００４４】
この図９では、内装体２３＿１の吸着面２３ａ（図６参照）が取り外されており、これに伴って磁石２３１も取り外されている。また、外装カバー２３＿２については、そこに内蔵されている電磁コイル２３２およびその中央の磁芯２３３が示されている。
【００４５】
内装体２３＿１には、上述の吸着用の磁石２３１（図６参照）のほか、回路基板２３３が備えられている。この回路基板２３３には、上述の第１実施形態における回路部品１３４（図４参照）と同様の、電磁コイル２３２を励振させるための回路部品（図示省略）が搭載されている。そのほか、この回路基板２３３には、携帯端末機４０との間の無線通信用の回路部品２３５が搭載されている。すなわち、このケーブルヘッド２３は、携帯端末機４０の充電と、携帯端末機４０との間の無線通信との双方を担っている。この第２実施形態では、電磁コイル２３２は板部２３Ｂ（図６参照）に備えられており、基部２３Ａ（図６参照）には備えられていない。このため、基部２３Ａを大型化することなく、その基部２３Ａに無線通信用の回路部品２３５を配置することができる。
【００４６】
上記の通り、このケーブルヘッド２３の板部２３Ｂ（例えば図６参照）には、磁芯２３２等とその磁芯２３３の周りに設けられた電磁コイル２３２が備えられている。すなわち、この第２実施形態での携帯端末機４０の背面４０ｃにあてがわれる板部２３Ｂに電磁コイル２３２等を設けている。これにより、この第２実施形態の場合、上述の第１実施形態よりも寸法の大きな電磁コイル２３２を備え、単位時間あたりの充電量を高めている。この第２実施形態の無接点充電装置２０が適用される携帯端末機４０には、その基部２３Ａが側面４０ｂに吸着されたときに、裏面４０ｃの板部２３Ｂがあてがわれる領域に、電力受け取り用のコイルが備えられている。このケーブルヘッド２０の電磁コイル２３２を形成しているワイヤの両端２３２ａは、金属製の端子２３４に半田付けされ（後述する図１１を合わせて参照）、端子２３４を介して回路基板２３３に接続されている。
【００４７】
図１０は、第２実施形態におけるケーブルヘッドを構成する外装カバーを、板部の表面があらわれる向きに示した斜視図である。
【００４８】
板部２３Ｂの、この図１０にあらわれている表面２３７は、携帯端末機４０の裏面４０ｃ（図７参照）に宛てがわれる側の面である。この外装カバー２３＿２の筒部２３８の内側には、図９および以下に説明する図１１に示す金属製の端子２３４の一面２３４ａが露出している。尚、この図１０では、この端子２３４の面２３４ａを示すために、筒部２３８の一部が切除されている。このため、この図１０に示されている筒部２３８は、本来の形状（図８参照）とは異なった形状となっている。
【００４９】
図１１は、第２実施形態におけるケーブルヘッドを構成する外装カバーを、板部の裏面があらわれる向きに示した斜視図である。この図１１では、図１０と同様、筒部２３８の一部が切除されている。また、この図１１は、板部２３Ｂの裏面２３８に嵌め込まれて電磁コイル２３２を覆うカバー２３８ａ（図７参照）が取り外されている。さらに、電磁コイル２３の中央の磁芯（図９参照）も図示省略されている。この図１１には、電磁コイル２３２を形成しているワイヤの両端２３２ａそれぞれが金属製の２つの端子２３４それぞれに接続されている状態が示されている。このワイヤの両端２３２ａと端子２３４は、半田付けにより接続されている。そして、図１０に示すように、その端子２３４の一面２３４ａが筒部２３８の内側に露出している。
【００５０】
図１２は、第２実施形態におけるケーブルヘッドを構成する内装体に内蔵されている回路基板の斜視図である。この図１２には、回路基板２３３の、図９にあらわれている面に対する裏面が示されている。この図１２には、外被が剥がされた状態のケーブル２２が示されている。このケーブル２２の芯線２２１は剥き出しにされ、回路基板２３３に半田付けされている。この図１２には、回路基板２３３に搭載されている回路部品のうち、図９にも示した無線通信用の回路部品２３５と、以下に説明する２つの端子２３６が示されている。他の搭載部品については図示省略されている。
【００５１】
ここに示す２つの端子２３６には、それぞれ、回路基板２３３に半田接続される半田接続部２３６ａと、その半田接続部２３６ａから立ち上がった立上がり部２３６ｂと、その立上がり部２３６ｂから延びて湾曲した接点部２３６ｃを有する。
【００５２】
図８を参照して説明した通り、このケーブルヘッド２３は、外装カバー２３＿２を、図８に示す矢印Ａ方向にスライドさせることにより組み立てられる。図１０に示す通り、電磁コイル２３２の形成しているワイヤの端部２３２ａが端子２３４（図１１参照）に半田付けされている。そして、その端子２３４の一面２３４ａが外装カバー２３＿２の筒部２３８の内側に露出している。この外装カバー２３＿２を図８に示す矢印Ａ方向にスライドさせると、端子２３４の、筒部２３８の内側に露出している面２３４ａが、図１２に示す回路基板２３３に搭載されている端子２３６の接点部２３６ｃを押すようにして、その接点部２３６ｃに接する。接点部２３６ｃが端子２３４に押されると、立上がり部２３６ｂと接点部２３６ｃとの接続部分が弾性的に変形する。これにより、接点部２３６ｃが外装カバー２３＿２側の端子２３４に弾性的に接し、半田付け等の処理なしに、電磁コイル２３２（図１１参照）と回路基板２３３（図１２参照）との間が電気的に導通する。
【００５３】
この第２実施形態の無接点充電装置２０を採用すると、充電もデータ通信も無接点で行なわれる。このため、携帯端末機４０は一切のコネクタ開口部を持つ必要がない。したがって、携帯端末機４０の耐水性、防塵性を高度に高めることが可能になる。
【００５４】
尚、この第２実施形態の無接点充電装置２０は、そのケーブルヘッド２３の基部２３Ａの、携帯端末機４０の側面４０ｂに接する吸着面２３ａに磁石２３１を備えている。そして、このケーブルヘッド２３は、前述の第１実施形態におけるケーブルヘッド１３と同様、携帯端末機４０の側面４０ｂに吸着される。ただし、ケーブルヘッド２３の基部２３Ａに代えて板部２３Ｂに磁石を備え、携帯端末機４０の裏面４０ｃに吸着されるように構成してもよい。あるいは、基部２３Ａと板部２３Ｂとの双方に磁石を備え、携帯端末機４０の側面４０ｂと裏面４０ｃとの双方に吸着させてもよい。また、携帯端末機４０に磁石を備え、ケーブルヘッド２３には磁石ではなく磁性体を備えてもよい。
【００５５】
また、この第２実施形態においても、前述の第１実施形態と同様、電磁コイル２３２を励振するための回路は、ＵＳＢコネクタ２１内に備えてもよく、ケーブル２２の途中に備えてもよい。
【００５６】
また、この第２実施形態の無接点充電装置２０には、ケーブルヘッド２３に、携帯端末機４０との間の無線通信用の回路部品２３５が備えられている。ここでの無線通信は、その方式を問うものではなく、ワイファイ（Ｗｉ−Ｆｉ）やブルートゥース（Ｂｌｕｅｔｏｏｔｈ）（登録商標）の技術を採用したものであってもよい。あるいは、６０ＧＨｚ帯の近距離無線通信技術を用いれば、通信帯域を１ユーザで独占できるため、ＵＳＢ３．０のような５Ｇｂｐｓクラスの非常に高速な通信に対しても、有線と変わらない速度での通信が可能となる。
【００５７】
また、本発明の無接点充電装置による充電の対象となる携帯端末機は、特定の種類の携帯端末機に限定されるものではない。本発明は、例えば、スマートフォンやタブレット端末、さらには、携帯音楽プレーヤー、ラップトップ型パーソナルコンピュータ、デジタルカメラなど含む、広い意味での携帯端末機一般を充電対象とすることができる。
【００５８】
また、上述の第１，第２実施形態では、本発明にいう電源用コネクタとしてＵＳＢコネクタが使われている。ただし、本発明にいう電源用コネクタは、ＵＳＢコネクタに限定されるものではなく、電源用として利用可能なコネクタであればその種類を問うものではない。
【００５９】
さらに、上述の実施形態は２個の磁石１３１，２３１を有していたが、１個の磁石と、ケーブルヘッド及び携帯端末機に設けられた凹凸係合構造等の機械的位置決め手段とを有してもよい。
【符号の説明】
【００６０】
１０，２０    無接点充電装置
１１，２１    ＵＳＢコネクタ
１２，２２    ケーブル
１３，２３    ケーブルヘッド（充電ヘッド）
１３ａ，２３ａ    吸着面
２３＿１    内装体
２３＿２    外装カバー
２３Ａ    基部
２３Ｂ    板部
３０，４０    携帯端末機
３０ａ    表面
３０ｂ，４０ｂ    側面
４０ｃ    裏面
１３１，２３１    磁石
１３２，２３２    電磁コイル
１３３，２３３    回路基板
１３４，２３５    回路部品
２２１    芯線
２３３    磁芯
２３４，２３６    端子
２３８    筒部
３０１    表示画面
【図１】
2015146705.tif 000003
【図２】
2015146705.tif 000004
【図３】
2015146705.tif 000005
【図４】
2015146705.tif 000006
【図５】
2015146705.tif 000007
【図６】
2015146705.tif 000008
【図７】
2015146705.tif 000009
【図８】
2015146705.tif 000010
【図９】
2015146705.tif 000011
【図１０】
2015146705.tif 000012
【図１１】
2015146705.tif 000013
【図１２】
2015146705.tif 000014